(57)【要約】
【課題】　　　　　本考案は、フルーツゼリー等の膠状物質をプラスチック容器内に充填した物品を、容器ごと切断する簡単なカッターを提供する事を課題とする。
【解決手段】　　　　　本考案のカッターは、切断刃付き中空立方体と、前記切断刃付き中空立方体を誘導する円筒体と、此等両者を固定する適当形状の基板とより成り、前記中空立方体の一対の対向角部の内面上には、斜行した下向き切断刃を取り外し自在に装着し、前記円筒体の対向縁部上には、前記中空立方体の切断刃と対向する一対の角部とを夫々直交して誘導する一対の所定長さの溝部と突起部とを設け、この溝部と突起部に前記中空立方体の切断刃と対向する一対の角部を合わせて押し下げ、前記円筒体の上部に取付けられたゼリーカップを支障なく切断する如く構成した事を特徴とする。
【選択図】　　　　図１
0003099736.tif 000002
【実用新案登録請求の範囲】
【請求項１】
　　　切断刃付きの中空立方体（１）と、前記切断刃（８）及び前記中空立方体の対向する角部（７）（７）を外接誘導する縦型溝（１０）並びに縦型突起（１１）とを対向する周縁上に夫々備えた円筒体（２）と、その下部に装着されたに円筒体用基板（１２）との組合せより成る事を特徴とする容器内に納められた膠質状物質切断用カッター。
【請求項２】
　　　前記切断刃（８）が、前記中空立方体（１）の対向する角部（７）（７）内側に傾斜し且つ取り外し自在に装着されている事を特徴とする請求項１記載のカッター。
【請求項３】
　　　前記切断刃付きの中空立方体（１）が、その切断刃（８）沿いに二分割される事を特徴とする請求項１記載のカッター。
【請求項４】
　　　前記円筒体（２）とその基板（１２）及び前記円筒体の縦型突起（１１）（１１）とは、夫々又は何れか一方が相互に着脱自在に構成されている事を特徴とする請求項１記載のカッター。
【請求項５】
　　　前記切断刃付きの中空立方体（１）が、その切断刃に沿う二分割線外側上で相互に接着テープで合体されている事を特徴とする請求項１記載のカッター。
【請求項６】
　　　前記切断刃付き中空立方体（１）と前記切断刃誘導円筒体（２）とが、供に同心中空体である事を特徴とする請求項１記載のカッター。
【考案の詳細な説明】
【考案の詳細な説明】
【技術分野】
【０００１】　　　本考案は、ゼリー等の膠状物質を納めた商品又は物品を、其の容器ごと切断する為のカッターに関する。
【背景技術】
【０００２】　　　本来、外側と内側との硬度が異なる商品又は物品、例えばプラスチック容器詰めのセリー菓子等を、内部のゼリーの形を崩す事なく切断し得る簡単なカッターの提案は、未だなされていないのが実情である。
従って本考案は、この種商品又は物品を清潔奇麗に切断し得るカッターを提供する事を課題とするものである。
【考案が解決せんとする課題】
【０００３】　　近時、物品の包装、梱包技術、特にプラスチックに依るこの種技術の発達は目覚ましく、液状物質、膠状（ゼリー状）物質、固体状物質、何れを問わず、箱詰め、缶詰め、ビン詰め技術に代わる勢いで進歩している。
特にプラスチック容器に依る真空パック技術は、氷菓、ゼリー状菓子、軟質固体状菓子、飲食物等の分野にも進出して、その味の変化及び物質の劣化を長時間防止し得る事に成功している。
例えば進歩の一例として膠質ゼリー状菓子が挙げられ、現在では斯の如く包装されたフルーツゼリー、羊羮等は、従来の如くガラスの陳列箱に入れられて生菓子等と一緒に注意深く展示されるのと異なり、店頭の一角に無造作に積まれて販売されている。
【０００４】　　斯の如く、合成樹脂に依る梱包又は包装は、膠質ゼリ状、軟質固体状の菓子その他の食料品を、衛生上又は品質上、極めて清潔並びに衛生的に真空パックして保存する事が可能であるが、その反面、この包装又は梱包を開く時には可なりの力と工夫を必要とした。
例えば、比較的硬質のプラスチックカップに収納された膠質菓子即ちゼリー、羊羮、バター等の乳製品は、夫々の上面に接着された薄層の蓋を取り外すのに苦労し、年少者等は中身のゼリー、羊羹等の形を壊し、場合に依っては地上に落として台なしにしてしまう事が往々にして起こっている。
本考案は、こうした困難、不便及び無駄を無くし、衛生的に然も奇麗な形で膠質中身を取り出す事が出来、又硬質容器共々分配する事が出来る様に分断し得る簡単且つ便利なカッターを提案せんとするものである。
【課題を解決する為の手段】
【０００５】　　この様な課題を解決する為に本考案のカッターは、被切断物品例えはゼリー入りプラスチックカップを乗せる所定長さの円筒体と、此を安定化する為めの所定形状の基板と、前記円筒体上に乗せられたゼリー入りカップを切断する所定長さの切断刃付き中空立方体との組合せ体より成り、この円筒体の周縁上には、前記中空立方体のカップ切断刃と一対の対向角部内側とを夫々上下に外接誘導する所定長さの一対の縦形溝と縦形突起とを備え、更に此のカップ切断刃は、前記中空立方体の他の一対の対向角部面上に沿って斜めに取り付けられている事を特徴とし、前記円筒体の溝部及び突起部を、前記中空立方体の切断刃及び一対の対向角部内側に嵌合して押し下げ、ゼリー入りカップの上面から順次斜めに擦り切る様に切断する事を特徴とするものである。
【考案を実施するための最良の形態】
【０００６】　　斯くの如き構成において、被切断物品例えばゼリー入りカップは、先ずその鍔部で前記円筒体上部に受け止められ、次いで前記切断刃付き中空立方体の対角面内側に装着された上下斜めに走る切断刃を、円筒体の誘導溝に合わせて押し下げて切断される。此の際、前記円筒体誘導突起は、切断刃付き中空立方体の横振れを防止し、正確にゼリーカップが切断され得る様に作用する。
又、比較的切断され難い平滑面を持つプラスチックカップとその中の膠状物質も、上下斜行する切断刃の擦り切り作用で、形崩れする事なく比較的奇麗に容易に切断する事が出来、その後の取
いを清潔且つ容易にする。
又、本カッター自身は、構造簡単であるから、容易に組立、分解し得るので、修理が容易で、コンパクトに収納する事が出来る利益がある。
以下に図面を参照して本考案の好個の実施例を説明する。
【実施例】
【０００７】　　本考案のカッターは、ゼリーカップの如き膠質物質内包物の切断刃（８）を一方の対角部（６）（６）の内接面上に着脱自在に装着した中空立方体（１）と、その中空立方体の他方の対角部（７）（７）の内側部及び前記切断部（８）とを、上下方向に誘導する一対の突起部（１１）（１１）及び溝部（１０）（１０）を備えた切断刃誘導円筒体（２）と、此等両者用の台座基板（１２）との組合せ体より成る。【０００８】　　　上記切断刃付き中空立方体（１）は、図３に示す如く、一対の直角部材（４）（５）より成り、その一方の対角内面上には、下向きの切断刃（８）が適当な取り付け部材（１８）（１９）で着脱自在且つ上向きに傾斜して取り付けられている。【０００９】　　　此等両直角部材（４）（５）は、使用時には（ｆ”）方向に組合せ、接着テープ等で一体的に組立てられて使用されるが、保管時には分解して収納するのが好ましく、又刃先（１７）等が摩耗した場合等は、容易に取り替え得る様に簡単で丈夫な掛け金式の取り付け手段（１８）（１９）で装着するのが有利である。更に又、此の刃付き中空立方体（１）は、必要ならば円筒体としても何ら差し支え無いものである。【００１０】　　　斯くの如き本考案のカッターを使用して例えば符号（３）で示すフルーツゼリーカップを切断する場合を以下に説明する。
　　　此の場合、先ず上記した如く切断刃付き中空立方体（１）が組立てられ、ゼリーカップ（３）がその蓋下面の鍔部で中空円筒体（２）の上部に載架される。【００１１】　　　その後、切断刃付き中空立方体（１）の角部（７）（７）の内側を、中空円筒体（２）の誘導突起（１１）（１１）に合わせて、矢印（ｆ）（ｆ’）方向に押し下げれば、対向する角部面上に取り付けられた切断刃（８）は、必然的に前記誘導突起（１１）（１１）と直交する誘導溝（１０）（１０）内に納まって、ゼリーカップ（３）の上面上を斜め方向から擦り切る様に切断する。【００１２】　　　此の際切断刃（８）が中空立方体の対角部（６）（６）に水平に取り付けられていれば、平滑で弾性有るゼリーカップ（３）の上面は、水平に押圧されるのみで中々切断出来ず、ゼリーの軟質性と相まって、場合に依っては薄層の蓋の接着面が剥離し、中味が溢れ出てしまう場合さえ起こり得る。
此に反し本考案の切断刃（８）は、取付け下部の刃先がゼリーカップ蓋（１３）の縁から切削し始め、順次カップ面（１４）、ゼリー本体（１６）及び底面（１５）と上面薄層を擦り切る様に切り進むので、上記水平取付け刃の如き不都合を発生させず、図２に示す如く、形崩れを起こす事無く切り離し、手や衣類等を汚す事無くスプーン等でゼリー側面（１６）から食する事が出来、かぶと虫等の昆虫の餌とする場合には、適当に分割して分割容器毎虫籠内に投与し、籠内を汚す事無く食させる事が出来る。
【考案の効果】
【００１３】　　　斯くの如き構成及び作用に依って本考案のカッターは、以下の如き優れた効果を有している。
　　（１）　構造が簡単で安価である。
　　（２）　必要に応じて自由にその刃を取り替え得る。
　　（３）　切断刃が中空立方体の対角線上に上下斜め方向に取り付けられているので、ゼリーカップの縁から擦り切るので、切り口が崩れず環境を汚さない。
　　（４）　切断されたゼリーカップ等の物品は、その容器の半分を持って切り口から中味を取り出して食する事が出来る。
　　（５）　昆虫、ペット等の餌とする場合には、分配が容易で巣箱等を汚さない。
【図面の簡単な説明】
【図１】本考案のカッターの各部とその切断作用を示す斜視図である。
【図２】本考案のカッターで切断されたゼリーカップの切断斜視図である。
【図３】本考案の切断刃付き中空立方体の組立て方式とその切断刃の取付位置を示す斜視図である。
【符号の説明】
（１）　　　切断刃付き中空立方体
（２）　　　切断刃誘導円筒体
（３）　　　ゼリーカップ
（８）　　　切断刃
（９）　　　切断刃誘導円筒体本体
（１０）　　切断刃誘導溝
（１１）　　切断刃付き中空立方体誘導突起
【図１】
0003099736.tif 000003
【図２】
0003099736.tif 000004
【図３】
0003099736.tif 000005